(57)【要約】【課題】燃焼室を短くでき、燃焼効率を高められる二段燃焼型の二液スラスタを提供する。【解決手段】副燃焼室７において、液体燃料と液体酸化剤が供給されて、一部の燃料が一次燃焼ガスにされ、残りの液体燃料が未反応燃料ガスにされる。主燃焼室１１において、副燃焼室７から未反応燃料ガスが供給され、蒸発酸化剤流路９からガス酸化剤が供給されて、二次燃焼ガスが生成される。蒸発酸化剤流路９は、主燃焼室１１の熱により酸化剤をガスの状態で主燃焼室１１へ流入させる。蒸発酸化剤流路９は、主燃焼室１１の内壁面を形成する内壁面形成体２７の壁面内に形成されている。【選択図】図２
2015040489.tif 000002
【特許請求の範囲】
【請求項１】
液体酸化剤と液体燃料とを反応させることにより燃焼ガスを生成し、この燃焼ガスを外部へ噴出することにより推力を得る二段燃焼型の二液スラスタであって、
液体燃料と液体酸化剤が供給される副燃焼室と、
副燃焼室に液体燃料を供給する燃料供給構造と、
副燃焼室に液体酸化剤を供給する酸化剤供給構造と、を備え、
副燃焼室において、前記液体酸化剤は、前記液体燃料の一部と反応することにより一次燃焼ガスを生成するとともに、一次燃焼ガスの熱で、残りの前記液体燃料が未反応燃料ガスにされ、
副燃焼室から一次燃焼ガスと未反応燃料ガスが供給される主燃焼室と、
主燃焼室に酸化剤を供給する蒸発酸化剤流路と、を備え、
主燃焼室において、前記未反応燃料ガスと、蒸発酸化剤流路からの酸化剤とから二次燃焼ガスが生成され、この燃焼ガスが外部に噴出され、
蒸発酸化剤流路は、外部から酸化剤を受け、主燃焼室の熱により蒸発された該酸化剤をガスの状態で主燃焼室へ流入させ、
蒸発酸化剤流路は、主燃焼室の壁面内に形成されている、ことを特徴とする二段燃焼型の二液スラスタ。
【請求項２】
蒸発酸化剤流路は、主燃焼室の壁面内において、主燃焼室の下流側から上流側へ酸化剤を流し、主燃焼室の上流側で、酸化剤を主燃焼室へ流入させ、
主燃焼室において、上流側で、前記未反応燃料ガスが、蒸発酸化剤流路からのガス酸化剤と混合され、これにより互いに反応して生じた前記二次燃焼ガスが、下流側で外部へ噴出される、ことを特徴とする請求項１に記載の二段燃焼型の二液スラスタ。
【請求項３】
前記主燃焼室の断面積は、主燃焼室の下流側部分において、下流側に移行するに従って小さくなっており、
蒸発酸化剤流路は、主燃焼室の下流端部から上流端部までへ延びていることにより、外部からの酸化剤を、主燃焼室の壁面内において、主燃焼室の下流端部から上流端部へ流す、ことを特徴とする請求項２に記載の二段燃焼型の二液スラスタ。
【発明の詳細な説明】
【技術分野】
【０００１】
本発明は、液体酸化剤と液体燃料とを混合して互いに反応させることにより燃焼ガスを生成し、この燃焼ガスを噴出することにより推力を得る二液スラスタに関する。
【背景技術】
【０００２】
スラスタは、例えば人工衛星に搭載され、推力を発生させることにより人工衛星の軌道や姿勢を調節する。
【０００３】
図１は、二液スラスタの概略構成を示す。図１に示すように、二液スラスタ３０は、燃料供給機構３１と、酸化剤供給機構３３と、燃焼室３５と、ノズル３７とを備える。図１の例では、燃料供給機構３１と酸化剤供給機構３３は、それぞれ、液体燃料と液体酸化剤を互いに衝突するように、燃焼室３５に噴射する。これにより、液体燃料と液体酸化剤を微粒化させ、両者の混合を促進させる。混合された液体燃料と液体酸化剤は、互いに反応する。その結果、液体燃料と液体酸化剤から燃焼ガスが生成される。燃焼ガスは、ノズル３７から噴射され、これにより推力を得る。なお、液体燃料として、例えばヒドラジンが用いられ、液体酸化剤として、例えば四酸化二窒素が用いられる。このような二液スラスタは、例えば、下記の特許文献１、２に開示されている。
【０００４】
二液スラスタでは、燃焼ガスは、３０００Ｋにも達するため、燃焼室３５には、冷却手段を設けている。冷却手段は、多くの場合、フィルム冷却と輻射冷却の組み合わせである。
【０００５】
フィルム冷却は、図１の矢印Ａで示すように、燃料供給機構３１により燃料の一部を燃焼室３５の内壁面へ噴射することによりなされる。すなわち、燃焼室３５の内壁面に噴射された燃料は、図１の矢印Ｂで示すように内壁面に沿って流れることにより、内壁面と、燃焼室３５内の燃焼ガスや火炎との間に形成される冷却層となる。この冷却層により、燃焼室３５の燃焼ガスから、燃焼室３５の内壁へ熱が伝達することを抑制する。
【０００６】
輻射冷却は、上述の冷却層を通して燃焼室３５の内壁に伝わった熱を輻射することによりなされる。この輻射は、燃焼室３５を形成する構造体の外面から外部へなされる。
【先行技術文献】
【特許文献】
【０００７】
【特許文献１】特開２００９−０８５１５９号公報
【特許文献２】特表２０１２−５３３７０１号公報
【発明の概要】
【発明が解決しようとする課題】
【０００８】
しかし、従来において、燃焼室を、次のように長くする必要があった。図１の場合、液体燃料と液体酸化剤は、上述のように、燃焼室３５へ噴射されて互いに衝突することにより、それぞれ微粒化する。これにより、液体燃料と液体酸化剤の混合と反応が促進されて、液体燃料と液体酸化剤から燃焼ガスが生成される。このような過程で、燃焼ガスが生成される。したがって、このような過程を行わせることにより燃料を十分に燃焼させるには、燃焼室を、ガスの流れ方向に長くする必要がある。
【０００９】
また、燃焼室が長いと、次のように燃焼効率が下がる。燃焼室が長いと、燃焼室の内壁に冷却層を形成するための燃料の量が増える。冷却層を形成する燃料は、燃焼に寄与しにくい。したがって、冷却層用の燃料が増えると、燃焼効率が下がる。
【００１０】
そこで、本発明の目的は、燃焼室を短くでき、燃焼効率を高められる二段燃焼型の二液スラスタを提供することにある。
【課題を解決するための手段】
【００１１】
上述の目的を達成するため、本発明によると、液体酸化剤と液体燃料とを反応させることにより燃焼ガスを生成し、この燃焼ガスを外部へ噴出することにより推力を得る二段燃焼型の二液スラスタであって、
液体燃料と液体酸化剤が供給される副燃焼室と、
副燃焼室に液体燃料を供給する燃料供給構造と、
副燃焼室に液体酸化剤を供給する酸化剤供給構造と、を備え、
副燃焼室において、前記液体酸化剤は、前記液体燃料の一部と反応することにより一次燃焼ガスを生成するとともに、一次燃焼ガスの熱で、残りの前記液体燃料が未反応燃料ガスにされ、
副燃焼室から一次燃焼ガスと未反応燃料ガスが供給される主燃焼室と、
主燃焼室に酸化剤を供給する蒸発酸化剤流路と、を備え、
主燃焼室において、前記未反応燃料ガスと、蒸発酸化剤流路からの酸化剤とから二次燃焼ガスが生成され、この燃焼ガスが外部に噴出され、
蒸発酸化剤流路は、外部から酸化剤を受け、主燃焼室の熱により蒸発させることで該酸化剤をガスの状態で主燃焼室へ流入させ、
蒸発酸化剤流路は、主燃焼室の壁面内に形成されている、ことを特徴とする二段燃焼型の二液スラスタが提供される。
【００１２】
本発明の構成例を、以下に述べる。
【００１３】
蒸発酸化剤流路は、主燃焼室の壁面内において、主燃焼室の下流側から上流側へ酸化剤を流し、主燃焼室の上流側で、酸化剤を主燃焼室へ流入させ、
主燃焼室において、上流側で、前記未反応燃料ガスが、蒸発酸化剤流路からのガス酸化剤と混合され、これにより互いに反応して生じた前記二次燃焼ガスが、下流側で外部へ噴出される。
【００１４】
前記主燃焼室の断面積は、主燃焼室の下流側部分において、下流側に移行するに従って小さくなっており、
蒸発酸化剤流路は、主燃焼室の下流端部から上流端部までへ延びていることにより、外部からの酸化剤を、主燃焼室の壁面内において、主燃焼室の下流端部から上流端部へ流す。
【００１５】
蒸発酸化剤流路は、前記主燃焼室の内壁面の近傍に位置しつつ、前記主燃焼室の内壁面に沿って延びている。
【発明の効果】
【００１６】
上述した本発明によると、蒸発酸化剤流路は、主燃焼室の熱により酸化剤をガスの状態で主燃焼室へ流入させるので、主燃焼室内で液体酸化剤をガス化させる過程を省略できる。したがって、主燃焼室を短くできる。
【００１７】
また、副燃焼室で、液体燃料と液体酸化剤から一次燃焼ガスと未反応燃料ガスを生成し、この未反応燃料ガスが、主燃焼室で、蒸発酸化剤流路からのガス酸化剤と混合する。このように、未反応燃料ガスと、既にガス化している酸化剤とを混合して燃焼させるので、燃焼が速やかになされる。その結果、高い燃焼効率が得られる。
【００１８】
さらに、酸化剤タンクからの酸化剤が、主燃焼室の内壁面形成体における蒸発酸化剤流路に供給されるので、酸化剤タンクからの酸化剤により内壁面形成体を冷却できる。したがって、上述の冷却層を、無くし、または減らすことができるので、燃焼に寄与しにくい燃料を、無くし、または減らすことができる。その結果、さらに高い燃焼効率が得られる。
【図面の簡単な説明】
【００１９】
【図１】従来のスラスタの構成を示す。
【図２】本発明の実施形態による二段燃焼型の二液スラスタの構成を示す。
【図３】（Ａ）は、図２のＩＩＩＡ−ＩＩＩＡ線断面図であり、（Ｂ）は、図２のＩＩＩＢ−ＩＩＩＢ線断面図である。
【発明を実施するための形態】
【００２０】
本発明の好ましい実施形態を図面に基づいて説明する。なお、各図において共通する部分には同一の符号を付し、重複した説明を省略する。
【００２１】
図２は、本発明の実施形態による二段燃焼型の二液スラスタ１０の構成を示す。二液スラスタ１０は、液体酸化剤と液体燃料とを混合して互いに反応させることにより燃焼ガスを生成し、この燃焼ガスを外部へ噴出することにより推力を得る。図２に示すように、二段燃焼型の二液スラスタ１０は、燃料供給構造３と、酸化剤供給構造５と、副燃焼室７と、蒸発酸化剤流路９と、主燃焼室１１とを備える。
【００２２】
燃料供給構造３は、副燃焼室７に液体燃料（すなわち、液体状態の燃料）を供給する。本実施形態では、燃料供給構造３は、燃料供給源１（図２の例では、燃料タンク１）から液体燃料を受ける燃料流路である。図２の例では、燃料流路３は、燃料タンク１から燃料管２を通して液体燃料を受ける。燃料タンク１は、液体燃料（例えば、ヒドラジン）を蓄積する。燃料タンク１の気相部分は、加圧ガス（例えば、ヘリウムガス）が充填されたガスタンク（図示せず）に連通している。燃料管２には、遮断弁１３が設けられている。この遮断弁１３が開かれると、燃料タンク１内における加圧された気相部分により、液体燃料が燃料管２に流入する。燃料管２は、このように燃料タンク１から受けた液体燃料を、遮断弁１３を開いた後に開かれた別の遮断弁１５（推薬弁）を通して燃料流路３へ導入する。燃料流路３は、図２の例では、副燃焼室７の上流側端面７ａを形成する端面形成体１７の中実内部（すなわち、副燃焼室７の壁面内）に形成されている。燃料流路３は、液体燃料を副燃焼室７に流入させる。好ましくは、燃料流路３には、液体燃料を副燃焼室７に噴射する燃料ノズル孔３ａが設けられている。
【００２３】
酸化剤供給構造５は、副燃焼室７に液体酸化剤（すなわち、液体状態の酸化剤）を供給する。酸化剤供給構造５は、酸化剤供給源４（図２の例では、酸化剤タンク４）から液体酸化剤を受ける。酸化剤供給構造５は、図２の例では、酸化剤タンク４から第一の酸化剤管６を通して液体酸化剤を受ける液体酸化剤流路である。酸化剤タンク４は、液体酸化剤（例えば、四酸化二窒素）を蓄積する。酸化剤タンク４の気相部分は、加圧ガス（例えば、ヘリウムガス）が充填されたガスタンク（図示せず）に連通している。第一の酸化剤管６には、遮断弁１９が設けられている。この遮断弁１９が開かれると、酸化剤タンク４内における加圧された気相部分により、液体酸化剤が第一の酸化剤管６に流入する。第一の酸化剤管６は、このように酸化剤タンク４から受けた液体酸化剤を、遮断弁１９を開いた後に開かれた別の遮断弁２１（推薬弁）を通して液体酸化剤流路５へ導入する。液体酸化剤流路５は、図２の例では、副燃焼室７の端面形成体１７における中実内部（すなわち、副燃焼室７の壁面内）に形成されている。液体酸化剤流路５は、液体酸化剤を副燃焼室７に流入させる。好ましくは、液体酸化剤流路５には、液体酸化剤を副燃焼室７に噴射する酸化剤ノズル孔５ａが設けられている。
【００２４】
また、好ましくは、液体酸化剤流路５（図２の例では、酸化剤ノズル孔５ａ）は、燃料流路３（図２の例では、燃料ノズル孔３ａ）から副燃焼室７に噴射された液体燃料に向けて液体酸化剤を副燃焼室７に噴射する。これにより、液体酸化剤を、液体燃料に衝突させ、液体燃料と液体酸化剤を微粒化させ、両者の混合を促進させる。なお、液体燃料（例えば、ヒドラジン）は、液体酸化剤と混合されると、液体酸化剤（例えば、四酸化二窒素）と反応して燃焼する。
【００２５】
副燃焼室７において、上述のように、液体燃料と液体酸化剤が供給されることにより、液体酸化剤は、液体燃料の一部と反応することにより一次燃焼ガスを生成するとともに、一次燃焼ガスの熱で、残りの液体燃料が未反応燃料ガスにされる。副燃焼室７で生成された一次燃焼ガスと未反応燃料ガスは、主燃焼室１１へ流入する。図２の例では、一次燃焼ガスと未反応燃料ガスは、連通路２３を通して副燃焼室７から主燃焼室１１へ流入する。この連通路２３は、副燃焼室７における下流側端面７ｂに形成された開口と、主燃焼室１１における上流側端面１１ａに形成された開口とを有する。副燃焼室７は、例えば、円柱形であり、副燃焼室７の内周面は、副燃焼室形成体２５により形成されている。副燃焼室７の温度は、一次燃焼ガスの生成により、例えば、８００℃〜９００℃になる。図２の例では、連通路２３は、後述の内壁面形成体２７の中実内部に形成されている。
【００２６】
単位時間の間に燃料流路３から副燃焼室７へ供給される液体燃料の量（質量）に対する、同じ単位時間の間に液体酸化剤流路５から副燃焼室７へ供給される液体酸化剤の量（質量）の割合は、０．１以上であって０．２以下に維持されるのが好ましい。このような割合を得るために適宜の制御を行うことができる。
【００２７】
なお、本実施形態において、副燃焼室７の上流側とは、円柱形の副燃焼室７の中心軸と平行な方向（この中心軸に沿った方向）における上流側（図２では、左側）を意味し、副燃焼室７の下流側とは、副燃焼室７の中心軸と平行な方向における下流側（図２では、右側）を意味する。
【００２８】
蒸発酸化剤流路９は、主燃焼室１１にガス酸化剤（すなわち、ガス状態の酸化剤）を供給する。蒸発酸化剤流路９は、外部（すなわち、酸化剤供給源４）から酸化剤を受け、主燃焼室１１の熱により蒸発させることで該酸化剤をガスの状態で主燃焼室１１へ流入させる。図２の例では、蒸発酸化剤流路９は、第一の酸化剤管６と液体酸化剤流路５と第二の酸化剤管８を通して、酸化剤タンク４から酸化剤を受ける。第二の酸化剤管８は、液体酸化剤流路５と蒸発酸化剤流路９とを連通させる。
【００２９】
主燃焼室１１において、副燃焼室７からの未反応燃料ガスと、蒸発酸化剤流路９からのガス状態の酸化剤とから二次燃焼ガスが生成され、この二次燃焼ガスが、上述の一次燃焼ガスとともに、二液スラスタ１０のノズル２９を通して外部に噴射される。これにより、二液スラスタ１０が搭載された装置（例えば、人工衛星）は推力を得る。なお、ノズル２９は、図２の例では、内壁面形成体２７と一体となっているが、内壁面形成体２７とは別に形成され、その後で内壁面形成体２７に結合されてもよい。
【００３０】
好ましくは、蒸発酸化剤流路９は、主燃焼室１１の内壁面を形成する内壁面形成体２７の中実内部（すなわち、主燃焼室１１の壁面内）において、主燃焼室１１の下流側から上流側へ酸化剤を流し、主燃焼室１１の上流側で、酸化剤を主燃焼室１１へ流入させる。主燃焼室１１において、上流側で、未反応燃料ガスが、蒸発酸化剤流路９からのガス酸化剤と混合され、ガス酸化剤と反応しながら下流側へ流れる。したがって、主燃焼室１１において、下流側の温度は、上流側の温度よりも高くなっている。
【００３１】
なお、本実施形態において、主燃焼室１１の上流側とは、主燃焼室１１の中心軸と平行な方向における上流側（図２では、左側）を意味し、主燃焼室１１の下流側とは、主燃焼室１１の中心軸と平行な方向における下流側（図２では、右側）を意味する。ここで、本実施形態では、主燃焼室１１は、その中心軸と平行な方向の各位置において、その中心軸と直交する平面による断面が円形になっている。
【００３２】
本実施形態では、図２に示すように、主燃焼室１１の断面積は、主燃焼室１１の下流側部分において、下流側に移行するに従って小さくなっている。主燃焼室１１の温度は、主燃焼室１１の下流端（図２の破線で示す位置Ｐｄ）で最も高くなっている。そこで、蒸発酸化剤流路９は、主燃焼室１１の内壁面の近傍に位置しつつ、内壁面に沿って、主燃焼室１１の下流端部から上流端部まで延びる。図２の例では、蒸発酸化剤流路９は、主燃焼室１１の下流端部から主燃焼室１１の上流側端面１１ａの開口１１ａ１まで延び、この開口からガス酸化剤を主燃焼室１１へ流入させる。
【００３３】
好ましくは、蒸発酸化剤流路９には、ガス酸化剤を主燃焼室１１に噴射する酸化剤ノズル孔９ａが設けられている。図２の例では、この酸化剤ノズル孔９ａは、上述の開口１１ａ１を有する。この場合、さらに、好ましくは、酸化剤ノズル孔９ａは、主燃焼室１１において、副燃焼室７からの未反応燃料ガスに向けてガス酸化剤を噴射する。これにより、ガス酸化剤を未反応燃料ガスに衝突させる。この場合、例えば図２のように、上述の連通路２３は、主燃焼室１１の中心軸と平行な方向に延びて、この方向に、未反応燃料ガスを主燃焼室１１へ流入させ、酸化剤ノズル孔９ａは、この中心軸と平行な方向から傾いた方向に、主燃焼室１１の中心軸へ向かって、ガス酸化剤を主燃焼室１１へ噴射する。
【００３４】
図３は、本実施形態による図２の蒸発酸化剤流路９の構成を示す。図３（Ａ）は、図２のＩＩＩＡ−ＩＩＩＡ線断面図であり、図３（Ｂ）は、図２のＩＩＩＢ−ＩＩＩＢ線断面図である。図３では、蒸発酸化剤流路９は、内壁面形成体２７の外面の開口から、主燃焼室１１の半径方向に、主燃焼室１１の内壁面の近傍位置まで延び、さらに、この近傍位置から複数の分岐流路９ｂに分岐し、これらの分岐流路９ｂが、主燃焼室１１の内壁面の近傍に位置しつつ、この内壁面に沿って、複数の酸化剤ノズル孔９ａまで延びている。ただし、蒸発酸化剤流路９は、他の形状を有していてもよい。
【００３５】
上述した端面形成体１７と副燃焼室形成体２５と内壁面形成体２７とは、別々に形成され、その後、互いに結合されてもよいし、最初から一体で形成されてもよい。
【００３６】
上述した本発明の実施形態による二段燃焼型の二液スラスタ１０では、以下の効果（Ａ）〜（Ｈ）が得られる。
【００３７】
（Ａ）蒸発酸化剤流路９は、主燃焼室１１の熱により酸化剤をガスの状態で主燃焼室１１へ流入させるので、主燃焼室１１内で液体酸化剤をガス化させる過程を省略できる。したがって、主燃焼室１１を短くできる。
【００３８】
（Ｂ）副燃焼室７で、液体燃料と液体酸化剤から一次燃焼ガスと未反応燃料ガスを生成し、この未反応燃料ガスが、主燃焼室１１で、蒸発酸化剤流路９からのガス酸化剤と混合する。このように、未反応燃料ガスと、既にガス化している酸化剤とを混合して燃焼させるので、燃焼が速やかになされる。その結果、高い燃焼効率が得られる。
【００３９】
（Ｃ）液体酸化剤を蓄積した酸化剤タンク４から、酸化剤が主燃焼室１１の壁面内に形成された蒸発酸化剤流路９へ導入される。したがって、この酸化剤により内壁面形成体２７を冷却できるので、主燃焼室１１のフィルム冷却を、無くし、または、減らすことができる。その結果、さらに高い燃焼効率が得られる。
【００４０】
（Ｄ）蒸発酸化剤流路９に液体の酸化剤が流入し、この酸化剤が、蒸発酸化剤流路９において、主燃焼室１１からの熱で蒸発する構成により、内壁面形成体２７の冷却効果が一層高まる。すなわち、主燃焼室１１からの熱を、液体酸化剤の気化熱に変換することにより、内壁面形成体２７の冷却効果が高まる。例えば、内壁面形成体２７の温度を１０００℃以下に抑えることができる。
【００４１】
（Ｅ）さらに、蒸発酸化剤流路９により、燃焼効率を高めるための液体酸化剤のガス化を、内壁面形成体２７の冷却に利用することが可能となる。
【００４２】
（Ｆ）主燃焼室１１において、上流側で、未反応燃料ガスが、蒸発酸化剤流路９からのガス酸化剤と混合され、ガス酸化剤と反応しながら下流側へ流れる。したがって、主燃焼室１１において、下流側の温度は、上流側の温度よりも高くなっている。そこで、本実施形態では、主燃焼室１１の壁面内において、主燃焼室１１の下流側から上流側へ酸化剤を流し、主燃焼室１１の上流側で、酸化剤を主燃焼室１１へ流入させることにより、相対的に低温の酸化剤により、相対的に高温の内壁面形成体２７の下流側部分を冷却できる。これにより、酸化剤による内壁面形成体２７の冷却効果が高まる。
【００４３】
（Ｇ）酸化剤タンク４からの液体酸化剤は、蒸発酸化剤流路９において、最初に最も高温の主燃焼室１１の下流端部に流入し、その後、主燃焼室１１の上流側へ流れるので、最も高温の主燃焼室１１の下流端部を、より効果的に冷却できる。
【００４４】
（Ｈ）上述のように内壁面形成体２７を冷却できるので、主燃焼室１１を形成する内壁面形成体２７を、耐熱温度が１０００℃以下である一般的な金属材料で構成できる。したがって、スラスタ１０の製造コストを下げることができる。
【００４５】
本発明は上述した実施の形態に限定されず、本発明の要旨を逸脱しない範囲で種々変更を加え得ることは勿論である。例えば、以下の変更例１〜３のいずれかを採用してもよいし、変更例１〜３のうち、任意の２つまたは全てを組み合わせて採用してもよい。この場合、他の点は、上述と同じである。
【００４６】
（変更例１）
燃料供給構造３は、燃料供給源から液体燃料を受けて、この液体燃料を副燃焼室７に供給する構造であれば、上述の燃料流路に限定されず、他の構造であってもよい。
【００４７】
（変更例２）
酸化剤供給構造５は、酸化剤供給源から液体酸化剤を受けて、この液体酸化剤を副燃焼室７に供給する構造であれば、上述の液体酸化剤流路に限定されず、他の構造であってもよい。
【００４８】
（変更例３）
第二の酸化剤管８は、第一の酸化剤管６から分岐して蒸発酸化剤流路９まで延びていてもよいし、酸化剤タンク４から蒸発酸化剤流路９まで延びていてもよい。後者の場合、第一の酸化剤管６と第二の酸化剤管８とは、それぞれ、異なる２つの酸化剤タンクから延びていてもよい。
【符号の説明】
【００４９】
１  燃料供給源（燃料タンク）
２  燃料管
３  燃料供給構造（燃料流路）
３ａ  燃料ノズル孔
４  酸化剤供給源（酸化剤タンク）
５  酸化剤供給構造（液体酸化剤流路）
５ａ  酸化剤ノズル孔
６  第一の酸化剤管
７  副燃焼室
７ａ  上流側端面
７ｂ  下流側端面
８  第二の酸化剤管
９  蒸発酸化剤流路
９ａ  酸化剤ノズル孔
９ｂ  分岐流路
１０  二液スラスタ
１１  主燃焼室
１１ａ  上流側端面
１１ａ１  開口
１３，１５  遮断弁
１７  端面形成体
１９，２１  遮断弁
２３  連通路
２５  副燃焼室形成体
２７  内壁面形成体
２９  ノズル
【図１】
2015040489.tif 000003
【図２】
2015040489.tif 000004
【図３】
2015040489.tif 000005